(57)【要約】【課題】  波形管を製造するための方法および装置を提供する。【解決手段】  本発明は、波形になるように交互に形成された第１の外径を有する第１の外壁領域と第２の外径を有する第２の外壁領域とを少なくとも部分的に有する波形管を製造するための方法であって、第１の外径が第２の外径よりも大きく、波形管が、コルゲータ（１）を用いて、プラスチック真空／ブロー成形プロセスによってプラスチック真空／ブロー成形モールドで製造され、第１の外壁領域の少なくともいくつかに１つまたは複数の開口が形成され、それらの開口が、コルゲータ（１）内でのプラスチック真空／ブロー成形プロセス中に波形管の第１の外壁領域の少なくともいくつかに形成される方法に関する。【選択図】  図１
2019098746.tif 000002
【特許請求の範囲】
【請求項１】
波形になるように交互に形成された第１の外径を有する第１の外壁領域と第２の外径を有する第２の外壁領域とを少なくとも部分的に有する波形管を製造するための方法であって、前記第１の外径が前記第２の外径よりも大きく、前記波形管が、コルゲータ（１）を用いて、プラスチック真空／ブロー成形プロセスによってプラスチック真空／ブロー成形モールドで製造され、前記第１の外壁領域の少なくともいくつかに１つまたは複数の開口が形成される方法において、前記開口が、前記コルゲータ（１）内での前記プラスチック真空／ブロー成形プロセス中に前記波形管の前記第１の外壁領域の少なくともいくつかに形成されることを特徴とする方法。
【請求項２】
前記開口が、前記第１の外壁領域を成形するために提供されている前記コルゲータ（１）内の少なくともいくつかの成形凹部（３ａ、３ｂ）に配置されているマンドレル（２）によって形成されることを特徴とする請求項１に記載の方法。
【請求項３】
前記マンドレル（２）がそれぞれ、前記成形凹部（３ａ、３ｂ）の１つに固定して配置されていることを特徴とする請求項２に記載の方法。
【請求項４】
前記波形管の前記第１の外壁領域の少なくともいくつかに、約０．５ｍｍ〜約１ｍｍの直径を有する開口が形成されることを特徴とする請求項１〜３のいずれか一項に記載の方法。
【請求項５】
波形になるように交互に形成された第１の外径を有する第１の外壁領域と第２の外径を有する第２の外壁領域とを少なくとも部分的に有する波形管を製造するための装置であって、前記第１の外径が前記第２の外径よりも大きく、前記装置が、プラスチック真空／ブロー成形プロセスによって前記波形管を製造するように構成され、前記波形管を成形するためのコルゲータ（１）を有し、前記装置が、前記第１の外壁領域の少なくともいくつかに１つまたは複数の開口を形成するための手段を有する装置において、１つまたは複数の開口を形成するための前記手段が、前記コルゲータ（１）内でのプラスチック真空／ブロー成形プロセス中に前記波形管の前記第１の外壁領域の少なくともいくつかに開口を形成するように構成されていることを特徴とする装置。
【請求項６】
前記手段が、前記波形管の前記第１の外壁領域を成形するために提供されている前記コルゲータ（１）内の少なくともいくつかの成形凹部（３ａ、３ｂ）に配置されているマンドレル（２）として構成されることを特徴とする請求項５に記載の装置。
【請求項７】
前記マンドレル（２）がそれぞれ、前記コルゲータ（１）の前記成形凹部（３ａ、３ｂ）に固定して配置されていることを特徴とする請求項６に記載の装置。
【請求項８】
前記マンドレル（２）が、前記波形管の前記第１の外壁領域の少なくともいくつかに開口を形成するように構成され、前記開口が、約０．５ｍｍ〜約１ｍｍの直径を有することを特徴とする請求項６または７に記載の装置。
【発明の詳細な説明】
【技術分野】
【０００１】
本発明は、波形になるように交互に形成された第１の外径を有する第１の外壁領域と第２の外径を有する第２の外壁領域とを少なくとも部分的に有する波形管を製造するための方法であって、第１の外径が第２の外径よりも大きく、波形管が、コルゲータを用いて、プラスチック真空／ブロー成形プロセスによってプラスチック真空／ブロー成形モールドで製造され、第１の外壁領域の少なくともいくつかに１つまたは複数の開口が形成される方法に関する。さらに、本発明は、波形になるように交互に形成された第１の外径を有する第１の外壁領域と第２の外径を有する第２の外壁領域とを少なくとも部分的に有する波形管を製造するための装置であって、第１の外径が第２の外径よりも大きく、装置が、プラスチック真空／ブロー成形プロセスによって波形管を製造するように構成され、波形管を成形するためのコルゲータを有し、装置が、第１の外壁領域の少なくともいくつかに１つまたは複数の開口を形成するための手段を有する装置に関する。
【背景技術】
【０００２】
波形管は、従来技術から様々な実施形態で知られている。この種の波形管は、特に、波形になるように交互に形成された第１の外径を有する第１の外壁領域と第２の外径を有する第２の外壁領域とを少なくとも部分的に有し、第１の外径が第２の外径よりも大きいことを特色とする。したがって、より大きい外径を有する第１の外壁領域は、しばしば波山とも呼ばれ、それに対応してより小さい外径を有する第２の外壁領域は、波谷とも呼ばれる。第１の外壁領域と第２の外壁領域の外径が異なることにより、波形管には可撓性が与えられ、したがって波形管をある程度まで曲げることができる。さらに、プラスチック真空／ブロー成形プロセスによってプラスチック真空／ブロー成形モールドでこのタイプの波形管を製造することが、従来技術からよく知られている。プラスチック真空／ブロー成形モールドの１つの本質的な構成要素は、いわゆるコルゲータであり、コルゲータによって、波形管の成形が行われ、コルゲータ内で第１の外壁領域および第２の外壁領域が成形される。
【０００３】
いくつかの技術的用途では、波形管の第１の外壁領域の少なくともいくつかに１つまたは複数の開口を所期の様式で形成する必要があり、第１の外壁領域の外径は第２の外壁領域の外径よりも大きく、それらの開口によって、例えば波形管からの流体の排出を可能にすることができる。
【０００４】
（特許文献１）に、波形管を製造するための方法および装置が開示されており、その方法および装置では、波形管は、プラスチック真空／ブロー成形プロセスによってプラスチック真空／ブロー成形モールドで製造される。さらに、その装置は、アクチュエータによって作動させることができる打抜き装置を有し、打抜き装置によって、波形管の製造後に、波形管の第１の外壁領域の少なくともいくつかに１つまたは複数の開口を所定の様式で形成することができる。
【先行技術文献】
【特許文献】
【０００５】
【特許文献１】カナダ特許第２７２５９８６号明細書
【発明の概要】
【発明が解決しようとする課題】
【０００６】
本発明の目的は、特に簡単に波形管の第１の外壁領域に開口を形成することができる、冒頭で述べたタイプの波形管を製造するための方法および装置を提供することである。
【課題を解決するための手段】
【０００７】
上記目的は、請求項１の特徴部の特徴を有する波形管を製造するための一般的なタイプの方法によって実現される。装置に関して、上記目的は、請求項５の特徴部の特徴を有する冒頭で述べたタイプの装置によって実現される。従属請求項は、本発明の有利な発展形態に関する。
【０００８】
波形管を製造するための本発明による方法は、コルゲータ内でのプラスチック真空／ブロー成形プロセス中に波形管の第１の外壁領域の少なくともいくつかに開口が形成されることを特色とする。本発明は、第２の外壁領域の外径よりも大きい外径を有する第１の外壁領域の少なくともいくつかに構成すべき開口を、プラスチック真空／ブロー成形プロセスの終了後に当該の第１の外壁領域に形成するのではなく、コルゲータ内での波形管の成形プロセス中に既に形成するという概念に基づいている。その結果、有利には、当該の第１の外壁領域に１つまたは複数の開口を後で形成することができる別個のツールを提供する必要はない。上記手段によって、第１の外壁領域への開口の形成、したがって波形管全体の製造を単純化することができ、したがってコストをより低くすることができる。
【０００９】
１つの有利な実施形態では、第１の外壁領域を形成するために提供されるコルゲータ内の成形凹部の少なくともいくつかに配置されているマンドレルを用いて開口を形成することが提案される。それぞれの第１の外壁領域に形成すべき開口の数に応じて、当該の成形凹部に１つまたは複数のマンドレルを配置することができる。
【００１０】
１つの特に有利な実施形態では、マンドレルがそれぞれ成形凹部に固定して配置されていることを企図することができる。
【００１１】
好ましくは、波形管の第１の外壁領域の少なくともいくつかに、約０．５ｍｍ〜約１ｍｍの直径を有する開口を形成することができる。
【００１２】
波形管を製造するための本発明による装置は、コルゲータ内でのプラスチック真空／ブロー成形プロセス中に波形管の第１の外壁領域の少なくともいくつかに開口を形成するように構成されることを特色とする。本発明による装置を用いて、コルゲータ内での実際の成形プロセス中に既に、波形管の当該の第１の外壁領域に開口を形成できることが実現される。したがって、有利には、例えば開口を形成するための打抜き装置を用いた波形管の後続の加工は不要である。本発明による装置の１つの利点は、それぞれの第１の外壁領域に開口を形成するための複雑な後続加工ステップをなくすことができるので、このようにして波形管の製造コストを低減することができることである。
【００１３】
１つの好ましい実施形態では、上記手段は、波形管の第１の外壁領域を成形するために提供されているコルゲータ内の少なくともいくつかの成形凹部に配置されているマンドレルとして構成されることが提案される。波形管のそれぞれの第１の外壁領域に形成すべき開口の数に応じて、当該の成形凹部に１つまたは複数のマンドレルを配置することができる。好ましくは、各マンドレルは、コルゲータの対応する成形凹部内に固定して配置することができる。
【００１４】
１つの有利な実施形態では、マンドレルは、波形管の第１の外壁領域の少なくともいくつかに開口を形成するように構成することができ、開口は、約０．５ｍｍ〜約１ｍｍの直径を有する。
【００１５】
本発明のさらなる特徴および利点は、添付する図１を参照して、１つの好ましい例示的実施形態の以下の説明により明らかになろう。
【図面の簡単な説明】
【００１６】
【図１】プラスチックから波形管を製造するための装置のコルゲータ１の一部を通る断面図である。
【発明を実施するための形態】
【００１７】
プラスチックからなり、上記装置によって製造することができる波形管は、特に、波形になるように交互に形成された第１の外径を有する第１の外壁領域と第２の外径を有する第２の外壁領域とを少なくとも部分的に有することを特色とする。ここで、第１の外径は第２の外径よりも大きい。このため、より大きい外径を有する第１の外壁領域は、しばしば波山とも呼ばれ、それに対応してより小さい外径を有する第２の外壁領域は、波谷とも呼ばれる。異なる大きさの第１の外径と第２の外径により、波形管が可撓性になり、ある程度まで曲げることができる状況が実現される。
【００１８】
波形管を製造するための装置は、従来技術からよく知られているように、プラスチック真空／ブロー成形プロセスで波形管を製造するように構成されており、したがってここでは詳細には述べない。この装置は、第１の外壁領域（波山）と第２の外壁領域（波谷）とを有する波形管を成形する働きをするコルゲータ１を有する。コルゲータ１は、多数の成形凹部３ａ、３ｂを備え、成形凹部３ａ、３ｂは、相互に続いており、ハーフダイ５の内部に構成され、特に一部環状の構成である。さらに、ハーフダイ５には、それぞれ成形凹部３ａ、３ｂに流体接続された部分真空ダクト６が構成されている。このようにして、波形管の成形中に部分真空ダクト６によって成形凹部３ａ、３ｂ内に部分真空を生成することができる。
【００１９】
互いに隣接する２つの成形凹部３ａ、３ｂは、それぞれ成形突起４によって互いに分離されている。図１による例示から明らかになるように、成形凹部３ａ、３ｂは、第１の（より大きい）外径を有する波形管の第１の外壁領域を成形するために提供され、成形突起４は、第２の（より小さい）外径を有する波形管の第２の外壁領域を成形するために提供される。波形管の製造中、互いに対応する２つのハーフダイ５が第１および第２の外壁領域を成形し、２つのハーフダイ５の一方にある一部環状の各成形凹部３ａ、３ｂが、波形管の当該の第１および第２の外壁領域の半分をそれぞれ成形する。
【００２０】
いくつかの技術的用途では、例えば波形管からの流体の所定の排出を可能にするために、第１の（より大きい）外径を有する波形管の第１の外壁領域の少なくともいくつかが１つまたは複数の開口を有する必要がある。コルゲータ１内での波形管の成形プロセス中に既に上記開口を形成することを可能にするために、成形凹部３ａ、３ｂの少なくともいくつかにそれぞれ少なくとも１つのマンドレル２が構成され、マンドレル２は、波形管の第１の外壁領域の１つに開口を形成することができる。好ましくは、マンドレル２は、当該の成形凹部３ａ、３ｂに固定して配置されている。
【００２１】
本明細書で提案する装置を用いて、コルゲータ１内での実際の成形プロセス中に既に、波形管の当該の第１の外壁領域に開口を形成できることが実現される。したがって、例えば開口を形成するための打抜き装置を用いた波形管の後続加工は不要である。その結果、有利には、それぞれの第１の外壁領域に開口を形成するための複雑な後続加工ステップをなくすことができるので、波形管の製造コストを低減することができる状況が実現される。
【符号の説明】
【００２２】
１  コルゲータ
２  マンドレル
３ａ、３ｂ  成形凹部
【図１】
2019098746.tif 000003